(57)【要約】【課題】  断端袋のずり落ちを防止できる義足用スポーツウェアを提供する。【解決手段】  義足用スポーツウェアの義足側を、義足使用者が着用する断端袋の上端側から裾にかけて、義足使用者の断端部を覆う第１義足部と断端袋及び義足を覆う第２義足部からなる二重構造とする。【選択図】  図１
0003178534.tif 000002
【実用新案登録請求の範囲】
【請求項１】
義足使用者の下肢を覆う義足用スポーツウェアであって、
前記義足用スポーツウェアの義足側は、義足使用者が着用する断端袋の上端側から裾にかけて、義足使用者の断端部を覆う第１義足部と断端袋及び義足を覆う第２義足部からなる二重構造とした
ことを特徴とする、義足用スポーツウェア。
【請求項２】
前記第１義足部の上端側表面が高摩擦性素材である
ことを特徴とする、請求項１記載の義足用スポーツウェア。
【請求項３】
前記第２義足部の上端側裏面が高摩擦性素材である
ことを特徴とする、請求項１又は２記載の義足用スポーツウェア。
【請求項４】
前記第２義足部の下端側背面に、義足のソケットに板バネを連結する接合金具を挿通するための穴部が設けられていることを特徴とする、請求項１〜３のいずれかに記載の義足用スポーツウェア。
【考案の詳細な説明】
【技術分野】
【０００１】
本考案は、断端袋のずり落ちを防止できる義足用スポーツウェアに関する。
【背景技術】
【０００２】
従来から、運動時等に着用する被服として、例えば特許文献１のスポーツウェアが知られている。このスポーツウェアは着用者の腰部から踝まで、下肢全体を覆うものである。
【０００３】
これら従来のスポーツウェアは一般に健常者による着用が想定されているが、一方で、近年では義足使用者による陸上競技等も盛んに行われている。
【０００４】
義足を着用する際には、切断等した断端部に、これを保護するためのシリコンライナーを着用した上で、義足のソケットに当該断端部を差し込むことで義足を接続する。このとき、断端部とソケット内面との隙間を埋めるために、シリコンライナーの上から断端袋が着用される。この断端袋は、様々な厚みのものを交換又は組み合わせて着用されることが通常である。
【０００５】
図４は、義足使用者が従来のスポーツウェアを着用した場合の模式図である。図４に示す様に、内側から断端部６、シリコンライナー７、断端袋８、義足のソケット９、スポーツウェアＷの順に着用される。また、図４に示す着用状態以外にも、従来のスポーツウェアＷが義足のソケットを覆う事ができない場合にはスポーツウェアＷをたくし上げる等により着用されている。
【先行技術文献】
【特許文献】
【０００６】
【特許文献１】特開２００６−１４４２１０号公報
【考案の概要】
【考案が解決しようとする課題】
【０００７】
前述のように、義足使用者はシリコンライナーと義足のソケットの間に断端袋を着用しているが、陸上競技等のスポーツを行う際には、体の動きによってこの断端袋がずり落ちるという状況が発生する。
断端袋のずり落ちは、これを着用する者にとって不快感を催す原因ともなるものであるが、従来のスポーツウェアは前述の通り健常者による着用を想定しており、義足使用時の断端袋のずり落ちを防ぐことができないという問題があった。
【０００８】
本考案は上記の状況に着目し、断端袋のずり落ちを防止する義足用スポーツウェアを提供することを、その目的とするものである。
【課題を解決するための手段】
【０００９】
上記課題を解決することを目的としてなされた本考案は、義足使用者の下肢を覆う義足用スポーツウェアであって、前記義足用スポーツウェアの義足側は、義足使用者が着用する断端袋の上端側から裾にかけて、義足使用者の断端部を覆う第１義足部と断端袋及び義足を覆う第２義足部からなる二重構造としたことを特徴としている。
【００１０】
本考案に係る義足用スポーツウェアにおいて、第１義足部の上端側表面が高摩擦性素材であることが望ましい。また、本考案に係る義足用スポーツウェアは、第２義足部の上端側裏面が高摩擦性素材であると好適である。
【００１１】
本考案に係る義足用スポーツウェアは、第２義足部の下端側背面に、義足のソケットに板バネを連結する接合金具を挿通するための穴部が設けられていてもよい。
【考案の効果】
【００１２】
本考案の義足用スポーツウェアによれば、第１義足部と第２義足部によって断端袋の上端を挟み込むことで、断端袋のずり落ちを防止することができる。
【図面の簡単な説明】
【００１３】
【図１】本考案に係る義足用スポーツウェアの一例を示す正面図であり、（ａ）は外観を示す図であり、（ｂ）は内部構造を示す図である。
【図２】同実施例の背面図であり、（ａ）は外観を示す図であり、（ｂ）は内部構造を示す図である。
【図３】同実施例の着用状態を示す模式図である。
【図４】従来のスポーツウェアの着用状態を示す模式図である。
【考案を実施するための形態】
【００１４】
以下、本考案の実施形態の一例を、図面を参照して説明する。
本実施例に係る義足用スポーツウェア１は、図１（ａ）（ｂ）、図２（ａ）（ｂ）に示すように、義足使用者の下肢を覆うものであり、腰部２と、義足部３から構成されている。
【００１５】
腰部２は、着用者の腰から大腿部にかけてを覆う部位であり、ストレッチ素材の生地から形成されている。
【００１６】
義足部３は、着用者の大腿部から義足のソケットを覆う部位であり、第１義足部４と、第２義足部５によって二重構造をなすよう形成されている。
【００１７】
第１義足部４は、義足使用者の断端部及びシリコンライナーを覆う部位である。図１（ｂ）、図２（ｂ）で示すように、第１義足部４の上端は、後述の第２義足部５の上端とともに腰部２の義足側下端２１に縫合されており、義足側下端２１から下端にかけて、義足用スポーツウェア１は二重構造となっている。
また、第１義足部４は、上端側の断端袋固定部４１と、本体部４２から構成されている。断端袋固定部４１は、表面側が高摩擦性を示す生地から形成されており、本体部４２は、腰部２と同様にストレッチ素材の生地から形成されている。
さらに、本体部４２の下端には断端部に着用するシリコンライナーと義足のソケットを連結するためのネジ乃至ピンを挿通するためのねじ穴部４３が設けられている。
なお、本実施例における第１義足部４の団体袋固定部４１は、表面が高摩擦性を示す生地を用いているが、第１義足部４全体をストレッチ素材等の生地から形成した上で、断端袋固定部４１となる部位の表面側に高摩擦素材を貼付乃至縫合してもよい。
【００１８】
第２義足部５は、義足使用者の断端袋及び義足のソケットを覆う部位である。図１（ａ）、図２（ａ）で示すように、上端側を第１義足部４の上端とともに腰部２の義足側下端２１に縫合されている。
第２義足部５は第１義足部４と同様に、上端側の断端袋固定部５１と、本体部５２から構成されている。ただし、第１義足部４の断端袋固定部４１は、表面が高摩擦性を示す生地であったのに対し、第２義足部５の断端袋固定部５１は裏面が高摩擦性を示す生地によって形成されている。また、本体部５２は腰部２及び第１義足部４の本端部４２と同様のストレッチ性素材の生地から形成されている。
なお、本実施例における第２義足部５の断端袋固定部５１は、表面が高摩擦性を示す生地を用いているが、第２義足部６全体をストレッチ素材等の生地から形成した上で、断端袋固定部５１となる部位の裏面側に高摩擦素材を貼付乃至縫合してもよい。
【００１９】
第２義足部５の本体部５２の下端には、義足のソケット下端のネジやピン等を挿通するためのねじ穴部５４が設けられており、また、本体部５２の下端側背面には、義足の着脱時に義足を挿通するとともにスポーツ用義足等、ソケット背面から板バネが接合される義足において当該板バネ及び板バネを連結する接合金具を挿通するための開口部５３が設けられている。
【００２０】
図３は、本実施例の義足用スポーツウェア１を着用した状態を示す模式図である。本実施例の義足用スポーツウェア１は、シリコンライナー７を着用した断端部１を第１義足部４が覆っており、当該第１義足部４の上から断端袋８を着用した上で義足のソケット９を接合し、当該ソケット９を第２義足部５によって覆うように着用する。
断端袋８の上端は、第１義足部４及び第２義足部５の断端袋固定部４１、５１によって挟み込まれることにより、断端袋８の上端を腰部２の義足側下端２１付近に固定し、断端袋８のずり落ちを防止することができる。
さらに、断端袋固定部４１の表面及び断端袋固定部５１の裏面は摩擦力が高い素材が用いられていることにより、断端袋８のずり落ちをより効果的に防止することができる。
また、第２義足部５の本体部５２はストレッチ素材から形成され、かつ、当該本体部５２下端側背面に開口部５３が設けられており、開口部５３に義足のソケットを挿通することで義足用スポーツウェア１を着用した状態で義足の着脱が可能となっている。例えば陸上競技場等ではスパイクピン等に対する規制により、場内を移動するたびに日常用義足とスポーツ用義足を交換しなければならない場合があるが、本実施例の義足用スポーツウェア１では、上記構成により義足の交換を容易に行うことができる。
【００２１】
また、本実施例では義足用スポーツウェア１を構成する部位として高摩擦性を示すものは、第１義足部４の断端袋固定部４１表面側と、第２義足部５の断端袋固定部５１裏面側に限られている。したがって、シリコンライナー７の上から第１義足部４を着用する際に、第１義足部４がシリコンライナー７に引っ掛かり、着用を困難にすることはない。第１義足部４の上から断端袋８を着用する際にも、高摩擦性を示す部位は第１義足部４上端側の断端袋固定部４１のみであることにより、断端袋８の着脱を容易に行うことが可能である。
第２義足部５においても、高摩擦性を示す部位は第２義足部５上端側の断端袋固定部５１のみであることにより、第２義足部５によって義足のソケット９を容易に覆うことができる。
本実施例の義足用スポーツウェア１は上記構成により、義足用スポーツウェア１の着脱の容易さと、断端袋のずり落ち防止を同時に実現することができる。
【００２２】
本実施例の構成は前述のとおりであるが、本考案の形態はこれに限られない。例えば、本実施例の義足用スポーツウェア１は健足側を大腿部まで覆う形状としたが、これを踝まで覆う形状としてもよい。
その他の具体的構成についても、本実施例の形態に限られるものではなく、本考案の趣旨を逸脱しない範囲でさまざまな変更が可能である。
【符号の説明】
【００２３】
１    義足用スポーツウェア
２    腰部
３    義足部
４    第１義足部
５    第２義足部
【図１】
0003178534.tif 000003
【図２】
0003178534.tif 000004
【図３】
0003178534.tif 000005
【図４】
0003178534.tif 000006